(57)【特許請求の範囲】
【請求項１】
オープンショーケースの筐体を構成する、側板と前面板とのコーナー部に、コーナーカバーを取り付ける取付構造であって、
前記コーナーカバーの内面に係合部を設け、上下方向を向く取付部材の上端部に横向き突設した係止片を前記係合部の上面に係合し、前記コーナーカバーを、前記コーナー部の上面に被せた状態において、前記取付部材を筐体に固着したことを特徴とするオープンショーケースにおけるコーナーカバーの取付構造。
【請求項２】
係合部を、コーナーカバーの出隅部の内面に内方に向かってほぼ水平に延出するように設けた請求項１記載のオープンショーケースにおけるコーナーカバーの取付構造。
【請求項３】
取付部材を、側板と前板とが交わる角部において、両方の板に固着されることにより、２枚の板を互いに結合する固定金具としたことを特徴とする請求項１または２記載のオープンショーケースにおけるコーナーカバーの取付構造。
【請求項４】
側板及び前板の上端部に手摺レールを装着し、コーナーカバーの断面形状を前記手摺レールの断面形状とほぼ同一として、コーナーカバーを、手摺レールの端部に被嵌したことを特徴とする請求項１〜３のいずれかに記載のオープンショーケースにおけるコーナーカバーの取付構造。
【請求項５】
側板の前縁部に形成した前面が開口する窓孔に風防ガラスを嵌合し、前記風防ガラスの前縁に嵌合したサッシの下端部に前方を向く取付片を連設し、この取付片を、コーナーカバーの後端部の下面に係合させることにより、サッシの上方及び前方への移動を阻止するようにした請求項１〜４のいずれかに記載のオープンショーケースにおけるコーナーカバーの取付構造。
【発明の詳細な説明】
【０００１】
【発明の属する技術分野】
本発明は、オープンショーケースの筐体を構成する側板と前板とのコーナー部に、コーナーカバーを取り付ける取付構造に関する。
【０００２】
【従来の技術】
オープンショーケースにおけるこの種のコーナーカバーの取付構造の従来技術としては、例えば、特開平１０−１２７４３６号公報に［発明の実施の形態］として記載されたもの、または同公報に［従来の技術］として記載されたもの等がある。
【０００３】
上記［発明の実施の形態］として記載されたオープンショーケースでは、筐体を構成する互いに交わる２枚のほぼ垂直な板の上縁部に装着した両手摺レールの端面開口部に、平面視ほぼＬ字形をなすコーナー部材の両端部を嵌合するとともに、両手摺レールとコーナー部材の下面同士を、コーナージョイント部材で連結することにより、両手摺レールの間にコーナー部材を取り付けている。
【０００４】
一方、上記［従来の技術］として記載されたオープンショーケースでは、両手摺レールの端部間に上方からコーナー部材を被せるとともに、止めねじを用いて、コーナー部材を両手摺レールに固着している。
【０００５】
【発明が解決しようとする課題】
しかし、上記公報の［発明の実施の形態］として記載されたオープンショースのコーナー部材の取付構造は、部品点数が多く、取付作業が煩雑になるという問題があり、一方［従来の技術］として記載されたオープンショーケースのコーナー部材の取付構造では、コーナー部材を固着するために用いた止めねじが外部に露呈するため、体裁が悪いという問題がある。
【０００６】
本発明は、上述のような問題点を解決するためになされたもので、オープンショーケースの外観を損なうことなく、オープンショーケースのコーナー部にコーナーカバーを簡単に取り付けるようにした、オープンショーケースにおけるコーナーカバーの取付構造を提供することを目的としている。
【０００７】
【課題を解決するための手段】
本発明によると、上記課題は、次のようにして解決される。
(１) オープンショーケースの筐体を構成する、側板と前面板とのコーナー部に、コーナーカバーを取り付ける取付構造であって、前記コーナーカバーの内面に係合部を設け、上下方向を向く取付部材の上端部に横向き突設した係止片を前記係合部の上面に係合し、前記コーナーカバーを、前記コーナー部の上面に被せた状態において、前記取付部材を筐体に固着する。
【０００８】
(２) 上記(１)項において、係合部を、コーナーカバーの出隅部の内面に内方に向かってほぼ水平に延出するように設ける。
【０００９】
(３) 上記(１)または(２)項において、取付部材を、側板と前板とが交わる角部において、両方の板に固着されることにより、２枚の板を互いに結合する固定金具とする。
【００１０】
(４) 上記(１)〜(３)項のいずれかにおいて、側板及び前板の上端部に手摺レールを装着し、コーナーカバーの断面形状を前記手摺レールの断面形状とほぼ同一として、コーナーカバーを、手摺レールの端部に被嵌する。
【００１１】
(５) 上記(１)〜(４)項のいずれかにおいて、側板の前縁部に形成した前面が開口する窓孔に風防ガラスを嵌合し、前記風防ガラスの前縁に嵌合したサッシの下端部に前方を向く取付片を連設し、この取付片を、コーナーカバーの後端部の下面に係合させることにより、サッシの上方及び前方への移動を阻止するようにする。
【００１２】
【発明の実施の形態】
以下、本発明の一実施形態を備えるオープンショーケースの一例としての冷蔵ショーケースについて、添付図面を参照しながら説明する。
以下の説明では、図１の左下方を「前方」、右上方を「後方」とする。
【００１３】
冷蔵ショーケース(１)の筐体(２)は、側面視ほぼ前向きコ字形をなすとともに、内部に、商品（図示略）を陳列するための収容部(３)が形成された筐体本体(４)と、筐体本体(４)の側面を塞ぐ側板(５)とからなっている。
【００１４】
側板(５)には、前面が開口し、かつ上面が前上方に向かって傾斜する窓孔(６)が設けられており、窓孔(６)の下縁部には、手摺レールとしての、前後方向を向く金属製の下部トリム(７)が装着され、窓孔(６)の後縁部から上縁部にかけては、上半部が前斜め上方に向かって湾曲する上部トリム(８)が装着されている。
この下部トリム(７)と上部トリム(８)とにより、側板トリム(９)が形成される。
【００１５】
筐体本体(４)の前板(10)の上縁部には、その全長にわたって、下部トリム(７)とほぼ同じ断面形状をなす金属製の手摺レール(11)が装着されている。
窓孔(６)とほぼ補形をなす風防ガラス(Ｇ)の前縁部には、上下方向を向く前部サッシ(12)が被嵌されており、風防ガラス(Ｇ)のその他の周縁部には、前後方向を向く下部サッシ(13)と、上下方向を向くとともに、上半部が前向きに湾曲させられた上部サッシ(14)とが被嵌されている。
【００１６】
前部サッシ(12)の上端部には、風防ガラス(Ｇ)の上縁部と同方向を向く上部取付片(15)が突設され、前部サッシ(12)の下端部には、前向き水平の下部取付片(16)が突設されている。
【００１７】
風防ガラス(Ｇ)の後端下部の角部には、Ｌ字状の固定具(17)が嵌め込まれ、この固定具(17)は、下部トリム(７)と上部トリム(８)との角部に設けた取付孔(18)に嵌合され（図１参照）、下部サッシ(13)の下面は下部トリム(７)の上面に当接し、かつ、上部取付片(15)は、止めねじ(19)により上部トリム(８)に固着されている（図１参照）。
【００１８】
図３〜図５に拡大して示すコーナーカバー(20)は、平面視ほぼＬ字形をなすとともに、下面と左側面及び後面が開口しており、かつ、その断面形状は下部トリム(７)及び手摺レール(11)のそれとほぼ同様である。
コーナーカバー(20)の出隅部の内面には、内方に向かってほぼ水平に延出する係合部(21)が突設され、また、コーナーカバー(20)の後縁部の下面には、下部取付片(16)と補形をなす凹部(22)が形成されている。
【００１９】
図３に示すように、コーナーカバー(20)の係合部(21)の上面には、上下方向を向く固定金具(23)の上端部に横向き突設された、１対のほぼ水平の外向きの係止片(24)(24)が係合している。
固定金具(23)は平面視ほぼＬ字形をなし、その左側縁部と後縁部は、外側に段状に折曲されており、この折曲部における上下方向の中央部分に切欠部(25)を形成することにより、固定金具(23)の左側縁部と後縁部とには、上下１対の外向き係合片(26)が形成されている。
【００２０】
固定金具(23)の係止片(24)(24)をコーナーカバー(20)の係合部(21)に係止した状態で、コーナーカバー(20)を、下部トリム(７)と手摺レール(11)とが近接する角部に軽く被せた後、固定金具(23)を下向きに引張り、固定金具(23)に穿設された通孔(27)を、側板(５)と前板(10)との互いに近接する側縁部に穿設されたねじ孔(28)に整合させ、通孔(27)に挿通した止めねじ(29)をねじ孔(28)に螺合することにより、固定金具(23)により側板(５)と前板(10)が強固に連結される。
【００２１】
この際、コーナーカバー(20)の後部と左側部が、それぞれ下部トリム(７)と手摺レール(11)の上面に被嵌した状態で（コーナーカバー(20)の後部が下部トリム(７)に被嵌した状態を図７に示す)、コーナーカバー(20)は筐体(２)のコーナー部分の上端部に取り付けられ、かつ、コーナーカバー(20)の凹部(22)が、下部取付片(16)に嵌合して下部取付片(16)を下部トリム(７)側に押えつけて、風防ガラス(Ｇ)の前下端部は、下部トリム(７)に固定される。
【００２２】
図８〜図１０に示すコーナーバンパー(30)は、合成樹脂または鋼板を折曲して成形された平面視ほぼＬ字形をなすもので（図９参照）、その左側縁部の裏側には、その全長にわたって右方を向く内向き係合片(31)が設けられ、後縁部の裏側には、上下１対の前方を向く内向き係合片(32)(32)が設けられている。
コーナーバンパー(30)の後縁部の内向き係合片(32)(32)の上下寸法は、固定金具(23)の切欠部(25)の上下幅よりも若干短く、かつ両内向き係合片(32)(32)の間の切欠部(33)の上下寸法は、固定金具(23)の外向き係合片(26)の上下寸法よりも若干長くしてある。
【００２３】
コーナーバンパー(30)の上縁部を固定金具(23)の切欠部(25)の上縁部よりも僅かに低い位置に合わせ、コーナーバンパー(30)の左側縁部の係合片(31)を、左側から下方の外向き係合片(26)と前板(10)との間の隙間に挿入し、かつ、コーナーバンパー(30)の後縁部の上方の係合片(32)を、右側から切欠部(25)に挿入した後、コーナーバンパー(30)をコーナーカバー(20)の下面に当接するまで持ち上げる。
【００２４】
すると、コーナーバンパー(30)の左側の係合片(31)は、固定金具(23)の左側の外向き係合片(26)(26)により外れ止めされ、かつ、コーナーバンパー(30)の後側の上下の内向き係合片(32)(32)は、固定金具(23)の上下の外向き係合片(26)(26)と等高をなし、後側の上下の係合片(32)(32)の外れ止めがなされる。
【００２５】
なお、各外向き係合片(26)と側板(５)及び前板(10)との隙間が、コーナーバンパー(30)の内向き係合片(31)(32)の厚さとほぼ同一なので、コーナーバンパー(30)が固定金具(23)に取り付けられたとき、図９に示すように、側板(５)及び前板(10)の外面がコーナーバンパー(30)の内向き係合片(31)(32)の裏面に当接し、かつ、コーナーバンパー(30)の裏面の中央部が側板(５)の前端角部に当接するので、コーナーバンパー(30)に外側から加わる衝撃に対して、コーナーバンパー(30)を強力に支持し、コーナーバンパー(30)が変形するのを防止することができる。
【００２６】
この状態において、合成樹脂または鋼板を折曲して成形された平面視ほぼＬ字形をなすコーナーロアバンパー(34)の両側部に設けた取付片(35)に穿設した通孔に止めねじ(36)（図８の破線参照）を挿通し、この止めねじ(36)を、側板(５)と前板(10)との互いに近接する側縁部の下端部に穿設したねじ孔(37)に螺合すると、コーナーロアバンパー(34)がコーナーバンパー(30)の直下に固定され（図９参照）、コーナーバンパー(30)は、コーナーロアバンパー(34)の上面により下降が阻止され、下方への抜け落ちが完全に防止される。
【００２７】
その後、側板(５)と前板(10)の下縁部近傍に設けた係止金具(38)に、横向きのロアバンパー(39)(40)を装着することにより、冷蔵ショーケース(１)は完成される。
【００２８】
以上説明した実施の形態を備える冷蔵ショーケース(１)によれば、コーナーカバー(20)の凹部(22)が、風防ガラス(Ｇ)の下部取付片(16)を下部トリム(７)に押さえつけるので、風防ガラス(Ｇ)の前下端部を、がたつくことなく窓孔(６)に取り付けることができる。
また、コーナーカバー(20)の後壁に穿設した通孔(20a)(20a)（図４及び図５参照）に止めねじ（図示略）を挿通し、この止めねじを、前板(５)及び側板(10)の内面上部に穿設したねじ孔（図示略）に螺合すれば、風防ガラス(Ｇ)の前下端部及びコーナーカバー(20)のがたつきは、より確実に防止される。
【００２９】
固定金具(23)を利用して、コーナーカバー(20)を冷蔵ショーケース(１)のコーナー部分に取り付けているので、コーナーカバー(20)をねじ止めする必要がなく、止めねじが外部に露呈して、冷蔵ショーケース(１)の外観を損なうことがない。
【００３０】
また、コーナーカバー(20)の断面形状が、下部トリム(７)及び手摺レール(11)のそれとほぼ同一であるので、これらの部材の間には、形状的な連続性が生じ、冷蔵ショーケース(１)のコーナー部分の外観を向上させることができる。
【００３１】
コーナーバンパー(30)は、固定金具(23)に簡単に取り付けることができるとともに、コーナーロアバンパー(34)を側板(５)及び前板(10)から取り外せば、固定金具(23)から簡単に取り外すことができるので、コーナーバンパー(30)が破損した場合には、簡単に新品と交換することができる。
【００３２】
また、固定金具(23)に切欠部(25)を設けるとともに、コーナーバンパー(30)の後側の上下の内向き係合片(32)の間に切欠部(33)を形成したので、コーナーバンパー(30)を、固定金具(23)の中位部に側方より嵌合して、若干上方に持ち上げるだけで、簡単に取り付けることができ、コーナーバンパー(30)を固定金具(23)の端部より差し込む場合に比べて、コーナーバンパー(30)の取り付け時の移動ストロークを短くすることができる。
【００３３】
なお、長寸の内向き係合片(31)が係合する固定金具(23)の図２における左方の外向き係合片(26)は、その中間部に切欠部を設けることなく、固定金具(23)の全長にわたるものとしてもよい。
【００３４】
逆に、内向き係合片(31)の中間部に、切欠部(33)と同様の切欠部を設けると、内向き係合片(31)を先に外向き係合片(26)に係合させておく必要がなくなる。すなわち、左右の内向き係合片(31)(32)を、同時に固定金具(23)の中位部から左右の外向き係合片(26)に係合させることができる。
【００３５】
なお、本発明は、側板と後面板とのコーナー部や、上記公報に記載されている平型のオープンショーケースの４隅のコーナー部等にもそのまま適用できることは勿論である。
【００３６】
【発明の効果】
本発明によれば、次のような効果を奏することができる。
(ａ) 請求項１記載の発明によれば、筐体に取り付けられる取付部材を利用して、コーナーカバーを筐体のコーナー部に取り付けているので、コーナーカバーに止めねじを用いる必要がなく、コーナー部の外観を損なうことがないとともに、コーナーカバーの取付も簡単である。
【００３７】
(ｂ) 請求項２記載の発明によれば、係合部はコーナーカバーの外縁部を補強するリブとしての働きがあるので、コーナーカバーに人の体や物が衝突した場合においても、コーナーカバーが破損するおそれは小さい。
【００３８】
(ｃ) 請求項３記載の発明によれば、固定金具により、側板と前板との結合力がさらに増す。
【００３９】
(ｄ) 請求項４記載の発明によれば、手摺レールとコーナーカバーとがほぼ同一断面形状で連続し、体裁がよい。
【００４０】
(ｅ) 請求項５記載の発明によれば、コーナーカバーでサッシの下端部を押えることができ、サッシのねじ止め作業を省略することができる。
【図面の簡単な説明】
【図１】本発明の一実施形態を備えるオープンショーケースの組立て完成前における右側部の一部分解斜視図である。
【図２】同じく、要部の拡大分解斜視図である。
【図３】同じく、コーナーカバーに固定金具を取り付けた状態を示す斜視図である。
【図４】コーナーカバーの拡大裏面図である。
【図５】図４のＶ矢線方向から見たコーナーカバーの背面図である。
【図６】オープンショーケースのコーナー部分にコーナーカバーと固定金具とを取り付けた状態を示す拡大斜視図である。
【図７】図６のVII−VII線に沿う拡大縦断正面図である。
【図８】オープンショーケースのコーナー部分の完成状態を示す拡大斜視図である。
【図９】図８のIX−IX線に沿う拡大横断平面図である。
【図１０】コーナーバンパーの拡大裏面図である。
【符号の説明】
(１)冷蔵ショーケース
(２)筐体
(３)収容部
(４)筐体本体
(５)側板
(６)窓孔
(７)下部トリム
(８)上部トリム
(９)側板トリム
(10)前板
(11)手摺レール
(12)前部サッシ
(13)下部サッシ
(14)上部サッシ
(15)上部取付片
(16)下部取付片
(17)固定具
(18)取付孔
(19)止めねじ
(20)コーナーカバー
(20a)(20a)通孔
(21)係合部
(22)凹部
(23)固定金具
(24)係止片
(25)切欠部
(26)外向き係合片
(27)通孔
(28)ねじ孔
(29)止めねじ
(30)コーナーバンパー
(31)内向き係合片
(32)内向き係合片
(33)切欠部
(34)コーナーロアバンパー
(35)取付片
(36)止めねじ
(37)ねじ孔
(38)係止金具
(39)(40)ロアバンパー
(Ｇ)風防ガラス
【図１】
0003999389.tif 000002
【図２】
0003999389.tif 000003
【図３】
0003999389.tif 000004
【図４】
0003999389.tif 000005
【図５】
0003999389.tif 000006
【図６】
0003999389.tif 000007
【図７】
0003999389.tif 000008
【図８】
0003999389.tif 000009
【図９】
0003999389.tif 000010
【図１０】
0003999389.tif 000011